(57)【要約】【課題】原稿に応じて入力された画像を該原稿の変更時に迅速且つ容易に消去することができる手書き入力装置を提供する。【解決手段】電子ペーパー３０の上にセットされた透明ＥＬシート１２上にユーザがペン２０により手書きで筆跡を入力すると、操作部１８に備えられた位置検出センサ４６で入力された筆跡を読取って、筆跡データ化し操作部１８に備えられた制御部４０に送信する。制御部４０は、筆跡データに基づいて透明ＥＬシート１２の透明電極に交流パルス電圧を印加して、筆跡を表示させる。制御部４０は、電子ペーパー３０の原稿が他の原稿に変更されたことを検知すると交流パルス電圧の印加を停止させ、透明ＥＬシート１２上に表示させていた筆跡を消去する。【選択図】図１
2008117283.tif 000002
【特許請求の範囲】
【請求項１】
原稿の上にセット可能で、かつセットされた前記原稿を目視可能な透明シートと、
前記透明シート上の筆跡を読取る筆跡読取手段と、
前記筆跡読取手段で読取った筆跡を前記透明シート上に表示させる筆跡表示手段と、
原稿の変更を検知する検知手段と、
前記検知手段が原稿の変更を検知した場合に、前記透明シート上に表示された筆跡を消去する筆跡消去手段と、
を含む手書き入力装置。
【請求項２】
前記原稿が電子ペーパーであり、前記検知手段は、電子ペーパー上の画像が書き換わったことを検知する請求項１記載の手書き入力装置。
【請求項３】
前記電子ペーパーに画像を書き込む画像書込手段を更に備えた請求項２記載の手書き入力装置。
【請求項４】
前記筆跡消去手段は、消去すべき筆跡の位置を前記透明シート上において指示する筆跡消去位置指示手段によって指示された位置の筆跡を消去させる請求項１乃至請求項３のいずれか１項に記載の手書き入力装置。
【請求項５】
前記筆跡読取手段で読取った筆跡を原稿に対応付けて記憶する筆跡記憶手段を更に備え、前記筆跡表示手段は、前記筆跡記憶手段から現在セットされている原稿に対応する筆跡を読取って前記透明シート上に表示させる請求項１乃至請求項４のいずれか１項に記載の手書き入力装置。
【請求項６】
前記筆跡読取手段で読取った筆跡を電子ペーパーに対応付けて記憶する筆跡記憶手段を更に備え、前記画像書込手段は、前記筆跡記憶手段から現在セットされている電子ペーパーに対応する筆跡を読取って前記電子ペーパーに画像を書き込む請求項３に記載の手書き入力装置。
【発明の詳細な説明】
【技術分野】
【０００１】
本発明は、手書き入力装置に関する。
【背景技術】
【０００２】
一般に、印刷物等の原稿の上に手書きでメモ等を書き込む場合がある。このようなメモ等の手書き画像を原稿に応じて入力する装置として、手書き入力時の入力軌跡を読取って、電子データ化し、原稿が表示される画像表示部に表示させる技術が知られている（例えば、特許文献１参照）。
【０００３】
このような原稿に応じて入力されたメモは、画像表示部に表示されている原稿が他の原稿に変更されると、変更された原稿に合わせて、手書き入力されたメモを全て消去し、変更された原稿のみが表示された状態にしなければならない。
【０００４】
手書き入力されたメモを全て消去するために、筆記用シートの上にペン等により書込まれた文字を不織布、濡れた布、専用イレーザ等により拭き取る技術が知られている（例えば、特許文献２参照）。また、有色シート上にセットされた透明シートを剥離することにより、透明シート上の書込みを消去する技術が知られている（例えば、特許文献３参照）。さらにまた、透明シート上に書込まれた画像をイレーザを用いて、人手で拭き取り消去する技術が知られている（例えば、特許文献４参照）。
【特許文献１】特開２００３−２５６３８３号公報
【特許文献２】特開平０５−２９４０９０号公報
【特許文献３】特開平０６−２８２３７０号公報
【特許文献４】特開２００３−０７８７１４号公報
【発明の開示】
【発明が解決しようとする課題】
【０００５】
しかしながら、上記従来の技術では、例えば、原稿が電子ペーパーの場合、画像表示部に表示されている原稿が他の原稿に変更されるのに合わせて、迅速且つ容易に手書き入力されたメモ等の画像を消去することが困難である。
【０００６】
本発明は、上記問題を解消するためになされたもので、原稿に応じて入力された画像を該原稿の変更時に迅速且つ容易に消去することができる手書き入力装置を提供することを目的とする。
【課題を解決するための手段】
【０００７】
上記目的を達成するために、本発明の手書き入力装置は、原稿の上にセット可能で、かつセットされた前記原稿を目視可能な透明シートと、前記透明シート上の筆跡を読取る筆跡読取手段と、前記筆跡読取手段で読取った筆跡を前記透明シート上に表示させる筆跡表示手段と、原稿の変更を検知する検知手段と、全危険値手段が原稿の変更を検知した場合に、前記透明シート上に表示された筆跡を消去する筆跡消去手段と、を含むことを特徴とする。
【０００８】
本発明の手書き入力装置では、セットされた原稿を目視可能な透明シートが原稿の上にセットされる。筆跡表示手段は、筆跡読取手段が読取った透明シート上の筆跡を透明シート上に表示させる。検知手段が原稿の変更を検知すると、筆跡消去手段は、透明シート上に表示された筆跡を消去する。
【０００９】
このように本発明の手書き入力装置では、原稿の変更を検知した場合に、透明シート上に表示された筆跡を消去する。従って、原稿に応じて入力された画像全てを該原稿の変更時に迅速且つ容易に消去することができる。
【００１０】
本発明では、原稿を電子ペーパーとし、電子ペーパー上の画像が書き換わったことを前記検知手段で検知することができる。さらに、前記電子ペーパーに画像を書き込む画像書込手段を備えることができる。
【００１１】
本発明では、前記筆跡消去手段は、消去すべき筆跡の位置を前記透明シート上において指示する筆跡消去位置指示手段によって指示された位置の筆跡を消去させることができる。
【００１２】
本発明では、前記筆跡読取手段で読取った筆跡を原稿に対応付けて記憶する筆跡記憶手段を更に備え、前記筆跡表示手段は、前記筆跡記憶手段から現在セットされている原稿に対応する筆跡を読取って前記透明シート上に表示させることができる。
【００１３】
本発明では、原稿が電子ペーパーの場合、前記筆跡読取手段で読取った筆跡を電子ペーパーに対応付けて記憶する筆跡記憶手段を更に備え、前記画像書込手段は、前記筆跡記憶手段から現在セットされている電子ペーパーに対応する筆跡を読取って前記電子ペーパーに書き込むことができる。
【発明の効果】
【００１４】
以上説明したように、請求項１及び請求項２に記載の本発明によれば、セットされた原稿の変更を検知した場合に透明シート上に表示された筆跡の表示を終了させることができるので、透明シート上の筆跡を全て迅速且つ容易に消去することができる、という効果が得られる。
【００１５】
請求項３に記載の本発明によれば、電子ペーパーに画像を書き込むことが出来るので、読取った筆跡を電子ペーパーに書き込むことができる、という効果が得られる。
【００１６】
請求項４に記載の本発明によれば、消去すべき筆跡の位置を透明シート上において指示することができるので、指示された位置の筆跡のみを消去することができる、という効果が得られる。
【００１７】
請求項５に記載の本発明によれば、読取った筆跡を原稿に対応付けて記憶することができるので、記憶されている筆跡を読取って透明シート上に表示させることができる、という効果が得られる。
【００１８】
請求項６に記載の本発明によれば、読取った筆跡を電子ペーパーに対応付けて記憶することができるので、記憶されている筆跡を読取って電子ペーパーに書き込むことができる、という効果が得られる。
【発明を実施するための最良の形態】
【００１９】
以下、図面を参照して本発明の実施の形態を詳細に説明する。
【００２０】
図１は、本実施の形態に係る手書き入力装置１０の概略構成を示す図である。手書き入力装置１０は、透明ＥＬシート１２と台紙１４とが辺Ｌで接合されており、透明ＥＬシート１２と台紙１４との間に電子ペーパー３０が台紙１４に表示された原稿位置合わせ印１６の位置に合わせてセットされるようになっている。
【００２１】
電子ペーパーとは、メモリー性を有する繰り返し書換えが可能な画像表示媒体であり、例えば、特開２００１−３１２２２５号公報に記載された着色粒子を用いた画像表示媒体や電気泳動を用いたものがあるが、これに限られない。
【００２２】
透明ＥＬシート１２は、マトリクス状に配線された透明電極間に発光層及び絶縁層が挟まれており、指定位置の透明電極に交流パルス電圧を印加することにより指定した箇所の発光層が発光する。透明ＥＬシート１２は、下にセットされた電子ペーパー３０に表示された文字や図形等の画像が目視できる程度に透明であればよく、有色であっても良い。又、台紙１４は、透明ＥＬシート１２と同じ素材であっても、他の素材であっても良く、透明及び不透明のいずれであっても良い。
【００２３】
また、本実施の形態では、透明ＥＬシート１２と台紙１４とは辺Ｌで接合されているが、透明ＥＬシート１２と台紙１４との間に電子ペーパー３０がセットできる構成であれば、辺Ｌ以外の辺や、辺Ｌに加えてその他の辺も接合された袋状等の構成であっても良い。
【００２４】
なお、本実施の形態では、ユーザにより手書き入力された画像（筆跡）の表示は、電子ペーパー３０に比べて、透明ＥＬシート１２の方が応答性が良く、ユーザによる手書きの早さに対応できるため、透明ＥＬシート１２上に表示させている。
【００２５】
本実施の形態では、透明ＥＬシート１２上に画像を入力するためのペン２０と入力された画像の消去を指示するためのクリーナ２２とは、一体として構成されており、ユーザが操作部１８のユーザインターフェイス４８（図２）を操作することにより、ペン２０とクリーナ２２とが切り替わるようになっている。
【００２６】
電子ペーパー３０に表示される文字や図形等の画像（原稿）は、電子ペーパー制御部６０（図２）により、他の文字や図形等の画像に書き換えられる。電子ペーパー３０が原稿位置合わせ印１６に合わせてセットされると、原稿位置合わせ印１６の位置に設けられたコネクタ（図示せず）により電子ペーパー制御部６０と電子ペーパー３０とが接続され、電子ペーパー３０の制御が可能になる。
【００２７】
なお、本実施の形態では原稿として電子ペーパー３０を用いた場合を示しているが、これに限らず、通常の用紙等を使用した原稿を用いても良い。この場合、透明ＥＬシート１２と台紙１４との間にセットされた原稿の変更はユーザが行えば良い。
【００２８】
操作部１８は、透明ＥＬシート１２に接合されており、ユーザによる画像入力に関する指示操作がなされると共に、手書き入力装置１０の制御を司る制御部４０（図２）及び位置検出センサ４６（図２）を含んで構成されている。
【００２９】
図２は、本実施の形態の手書き入力装置１０の制御系のブロック図である。制御部４０には、ユーザインターフェイス４８が接続され、ユーザの操作によって、電源投入や原稿等に関する指示がなされるようになっている。
【００３０】
制御部４０は、ＣＰＵ４２、ＲＯＭ（図示せず）、ＲＡＭ（図示せず）、及びＨＤＤ（図示せず）を含むメモリ４４を備えている。ＣＰＵ４２では、ユーザによりペン２０によって手書き入力された文字や図形等の画像（筆跡）の透明ＥＬシート１２上への表示及び消去を制御するために、詳細を後述する制御ルーチンが実行される。制御ルーチンのプログラムは記憶媒体としてのＲＯＭに記憶されている。
【００３１】
制御部４０には、位置検出センサ４６が接続されており、位置検出センサ４６には、透明ＥＬシート１２上に画像を手書きで入力するためのペン２０及び入力された手書きの画像を消去するためのクリーナ２２が接続されている。位置検出センサ４６は、ペン２０またはクリーナ２２により透明ＥＬシート１２上に入力された透明ＥＬシート１２上の２次元座標（筆跡）を読取ってデータ化し、２次元座標データ（筆跡データ）を制御部４０へ送信する。位置検出センサ４６は、例えば、超音波センサや、特開２００３−２５６３８３号公報に記載されたＣＭＯＳカメラ等を用いてペン２０またはクリーナ２２の位置を検出し、データ化する。
【００３２】
また、制御部４０には手書き入力された筆跡を表示させるための透明ＥＬシート１２が接続されている。
【００３３】
さらに、本実施の形態では、制御部４０には、電子ペーパー３０の制御を司る電子ペーパー制御部６０が接続されており、電子ペーパーのページ（原稿）が変更された場合に、制御部４０に信号が入力される構成となっている。
【００３４】
次に、本実施の形態の手書き入力装置１０において実行される制御ルーチンを図３を参照して説明する。図３に示す処理は、例えば、手書き入力装置１０の電源投入時等に実行される。
【００３５】
まず、手書き入力装置１０に電源が投入されると、ステップ１００では、原稿（電子ペーパー３０）がセットされたか否かを判断する。原稿がセットされたか否かの判断は、例えば、電子ペーパー制御部６０から、原稿がセットされたことを示す信号が制御部４０へ入力されたか否かにより判断しても良いし、ユーザインターフェイス４８を介してユーザから制御部４０へなされた指示を読取ることにより判断しても良い。否定されると待機状態になり、肯定されるとステップ１０２へ進む。
【００３６】
ステップ１０２ではセットされた原稿が新規原稿か否かを判断する。なお、本実施の形態では、新規原稿とは、初めて本処理を行う原稿であり、メモリ４４に該原稿に対応付けられた手書き入力画像が記憶されていない原稿のことをいう。新規原稿か否かの判断は、メモリ４４に該原稿に対応付けられた手書き入力画像が記憶されているか否かにより判断する。新規原稿であると肯定判断された場合は、ステップ１０８へ進む。一方、手書き入力画像が記憶されている場合は、否定判断となり、ステップ１０４へ進み、セットされた原稿に対応付けられて記憶されている画像（筆跡）をメモリ４４から読取り、次のステップ１０６では、読取った筆跡を表示するよう透明ＥＬシート１２に指示し、ステップ１０８へ進む。本実施の形態では、筆跡に対応する透明ＥＬシート１２の位置の透明電極に交流パルス電圧を印加させることにより該位置の発光層を発光させて筆跡を表示させている。
【００３７】
ステップ１０８では、ペン２０により筆跡の入力がなされたか否かを判断する。筆跡が入力されたか否かの判断は位置検出センサ４６からペン２０の位置を示す筆跡データが入力されたか否かにより判断する。否定判断の場合は、待機状態となり、肯定されるとステップ１１０へ進み、入力された筆跡データを読取り、ステップ１１２に進む。
【００３８】
ステップ１１２では、透明ＥＬシート１２上に入力された筆跡データに基づく筆跡を表示するように指示を出す。これにより、透明ＥＬシート１２上には、ユーザがペン２０により入力した文字や図形等の手書き画像が表示される。
【００３９】
次のステップ１１４では、クリーナ２２が使用されたか否かを判断する。クリーナ２２が使用されたか否かの判断は、ペン２０とクリーナ２２とが切り替わったことを示す信号がユーザインターフェイス４８から入力されたか否かにより判断する。否定されるとステップ１２０へ進む。一方、切り替え信号が入力された場合は、ステップ１１６へ進み、位置検出センサ４６から入力されたクリーナ２２の位置データを読取り、次のステップ１１８では、読取った位置に表示されている筆跡を消去するよう透明ＥＬシート１２に指示を出す。これにより、透明ＥＬシート１２上に表示されている筆跡のうち、ユーザがクリーナ２２により指定した筆跡の表示が消える。
【００４０】
次のステップ１２０では、筆跡の入力を終了するか否かを判断する。筆跡の入力を終了するか否かの判断は、本実施の形態では、ユーザによりユーザインターフェイス４８を介して筆跡の入力を終了する旨の信号が入力されたか否かにより判断する。否定されるとステップ１０８に戻り、ユーザによる手書き入力された筆跡の表示及び消去を繰返す。一方、肯定されるとステップ１２２へ進む。
【００４１】
ステップ１２２では、現在セットされている原稿に対応付けて現在、透明ＥＬシート１２上に表示されている筆跡（入力画像）の筆跡データをメモリ４４に記憶させる。原稿と筆跡データとの対応付けは、例えば、ユーザによりユーザインターフェイス４８を介して入力された原稿名等毎に筆跡データを保存させたり、電子ペーパー制御部６０から原稿名やページ番号を読取り、読取った原稿名やページ番号毎に筆跡データを保存させたりすることにより行う。
【００４２】
次のステップ１２４では、筆跡の表示を終了するよう透明ＥＬシート１２に指示を出す。本実施の形態では、透明ＥＬシート１２の透明電極への交流パルス電圧の印加を停止する。これにより、透明ＥＬシート１２上に表示されていた筆跡全てが消去される。
【００４３】
次のステップ１２６では、本処理を終了するか否かを判断する。否定されるとステップ１２８へ進み、原稿のページが変更される等、現在セットされている原稿が変更されて他の原稿がセットされたか否かを判断する。他の原稿がセットされたか否かの判断は、本実施の形態では、電子ペーパー制御部６０から、電子ペーパー３０がコネクタに接続されたことを検知した信号が入力されたか否か、及び、ユーザからユーザインターフェイス４８を介して原稿を書き換えたことを示す信号が入力されたか否かにより判断する。否定されると待機状態となり、肯定されるとステップ１０２に戻り、ユーザによる手書き入力された筆跡の表示及び消去を繰返す。一方、ユーザインターフェイス４８を介してユーザから本処理を終了する指示がなされた場合は肯定され、本処理を終了する。
【００４４】
なお、本実施の形態では、透明ＥＬシート１２と台紙１４との間に電子ペーパー３０をセットしているが、台紙１４を用いず、透明ＥＬシート１２のみを電子ペーパー３０の上にセットしても良い。この場合、透明ＥＬシート１２と電子ペーパー３０との位置を合わせるために、透明ＥＬシート１２上に予め原稿位置合わせ印１６を印刷しておいたり、電子ペーパー３０の位置を検出するセンサをさらに設けて、検出した位置に合わせて筆跡の表示を行うようにすれば良い。
【００４５】
また、手書き入力装置１２をいわゆるバインダ状に構成し、透明ＥＬシート１２に電子ペーパー３０を固定するための、例えばクリップ状の部材を設け、クリップ状の部材に操作部１８を備えるようにしても良い。
【００４６】
さらに、本実施の形態では、透明ＥＬシート１２を用いているが、これに限らず、ユーザにより手書き入力された筆跡を表示させる手段と透明シートとが一体化したものでも良く、例えば、ペン２０等により加圧された部分に色が付くタッチパネル等を用いても良い。なお、ユーザによる手書き入力速度を考慮した場合、入力速度に対応して表示を行う応答速度が速いことから透明ＥＬシートを用いることが好ましい。
【００４７】
さらにまた、本実施の形態では、現在セットされている電子ペーパーの原稿に対応付けて手書き入力された筆跡の筆跡データのみをメモリ４４に記憶させているが、これに限らず、電子ペーパーに表示されている原稿の原稿データも記憶させても良いし、また、筆跡データと原稿データとを組み合わせた一つの画像データとして記憶させても良い。
【００４８】
また、本実施の形態では、読み出したメモリ４４に記憶されている画像データ（筆跡データ）を、透明ＥＬシート１２上に表示させているが、電子ペーパー３０に原稿に加えて書き込むようにすることもできる。この場合、制御部４０は、電子ペーパー制御部６０及びコネクタを介して電子ペーパー３０に画像データを書き込むように指示すればよい。
【００４９】
以上説明したように、本実施の形態の手書き入力装置では、現在セットされている電子ペーパー（原稿）が他の原稿に変更されたことを制御部で検知すると、透明ＥＬシートの透明電極への交流パルス電圧の印加を停止させるので、透明ＥＬシート上に表示されている手書き入力された筆跡の表示を終了させることができるため、表示されている筆跡を全て迅速且つ容易に消去することができる。
【００５０】
また、クリーナにより透明ＥＬシート上に手書き入力された筆跡の消去が指示できるので、表示されている筆跡のうちクリーナにより指示された筆跡のみを消去することができる。
【００５１】
さらにまた、読取った筆跡の筆跡データを原稿に対応付けてメモリに記憶させるので、再び、該原稿がセットされた場合に、メモリに記憶されている筆跡データを読取って以前に入力された筆跡を透明ＥＬシート上に表示させることができる。
【図面の簡単な説明】
【００５２】
【図１】本発明の実施の形態に係る手書き入力装置の概略構成を示す図である。
【図２】本発明の実施の形態に係る手書き入力装置の制御系のブロック図である。
【図３】本発明の実施の形態に係る手書き入力装置で実行される制御処理のフローである。
【符号の説明】
【００５３】
１０  手書き入力装置
１２  透明ＥＬシート
１８  操作部
２０  ペン
２２  クリーナ
３０  電子ペーパー
４０  制御部
【図１】
2008117283.tif 000003
【図２】
2008117283.tif 000004
【図３】
2008117283.tif 000005